(57)【要約】【課題】  パネル壁面外方向からの衝撃力に十分対抗できるパネル取付構造、およびそれに使用される断面Ｔ字型取付金具を提供する。【解決手段】  プレート部の中心部に棒状部が垂直に植設されて断面Ｔ字型を成しており、その棒状部がＡＬＣパネルの一小口面から開けられた縦孔に挿入され、さらに、該プレートがパネル取付用部材に固設されるＡＬＣパネル用の断面Ｔ字型取付金具であって、前記棒状部の先端部分には鋼棒が貫通できる透孔が設けられているＡＬＣパネル用の断面Ｔ字型取付金具およびその断面Ｔ字型取付金具を用いたＡＬＣパネルの取付構造。【選択図】図１
2008150914.tif 000002
【特許請求の範囲】
【請求項１】
プレート部の中心部に棒状部が垂直に植設されて断面Ｔ字型を成しており、その棒状部がＡＬＣパネルの一小口面から開けられた縦孔に挿入され、さらに、該プレートがパネル取付用部材に固設されるＡＬＣパネル用の断面Ｔ字型取付金具であって、前記棒状部の先端部分には鋼棒が貫通できる透孔が設けられていることを特徴とするＡＬＣパネル用の断面Ｔ字型取付金具。
【請求項２】
請求項１記載のＡＬＣパネル用の断面Ｔ字型取付金具を用いて、該プレート部がパネル取付用部材に溶接固定されているとともに、該棒状部がＡＬＣパネルの一小口面から開けられた縦孔に挿入され、さらに、その縦孔と交差して他小口面から開けられた横孔に挿通された鋼棒が前記棒状部の先端部分に設けられた透孔をパネル内部で貫通することにより係合されていることを特徴とするＡＬＣパネルの取付構造。
【請求項３】
前記鋼棒の長さは、前記横孔方向のパネル長さに対して５０％以上である請求項２記載のＡＬＣパネルの取付構造。
【発明の詳細な説明】
【技術分野】
【０００１】
本発明は、建物において主に基礎部、開口部等にＡＬＣパネルを取り付けて固定する際に使用されるＡＬＣパネル用の断面Ｔ字型取付金具およびＡＬＣパネルの取付構造に関する。
【背景技術】
【０００２】
図９および図１０に示すように、建物外壁に開口部７を形成する際、駆体６（梁）に固定された取付用部材３（Ｌ型アングル）にＡＬＣパネル１０（以下、パネルという。）を固定するために、円形のプレート２０ａに棒状体２０ｂが垂直に固設されたＴ字型固定具２０およびそれを用いたパネルの取付構造が知られている。
（特許文献１参照）
そして、このＴ字型固定具２０を用いてパネル１０を取付用部材３に固定する際は、図１１に示すように、パネル１０の一小口面１０ａに縦孔１０ａａを穿設し、その縦孔１０ａａにその棒状体２０ｂを貫入させるとともに、プレート２０ａを取付用部材３に溶接により直接または間接的に接合して固定する。
さらに、棒状体２０ｂの先端部には、図１１に示すように、棒状体２０ｂが貫入されたときにパネル１０内部で食い込んで、がたつかないように突起２０ｃが設けられている。
【０００３】
【特許文献１】特開昭６３−２６５０４６号公報
【発明の開示】
【発明が解決しようとする課題】
【０００４】
しかし、このＴ字型固定具２０の棒状体２０ｂがパネル１０の縦孔１０ａａに貫入されただけのパネルの取付構造では、パネル１０の壁面外（壁面１０ｃに対して垂直）方向から強い衝撃力がかかったときに、パネルの取付強度不足により棒状体２０ｂの貫入部付近でパネルが破損する危険性があった。
また、地震等でパネル１０が壁面内（壁面１０ｃと並行）方向に回動しようとしたときに、パネル１０の縦孔１０ａａ内部で、がたつきを生じさせないように食い込んで固定された棒状体２０ｂの突起部２０ｃが干渉することにより、パネル内部に欠けや割れ等の損傷を発生させていた。
そこで、本発明の目的は上記問題点を解決して、パネル壁面外方向からの衝撃力に十分対抗できるパネル取付構造、およびそれに使用される断面Ｔ字型取付金具を提供することにある。
【課題を解決するための手段】
【０００５】
本発明は、前記課題を解決するために、
プレート部の中心部に棒状部が垂直に植設されて断面Ｔ字型を成しており、その棒状部がＡＬＣパネルの一小口面から開けられた縦孔に挿入され、さらに、該プレートがパネル取付用部材に固設されるＡＬＣパネル用の断面Ｔ字型取付金具であって、前記棒状部の先端部分には鋼棒が貫通できる透孔が設けられているＡＬＣパネル用の断面Ｔ字型取付金具を採用した。
さらに、このＡＬＣパネル用の断面Ｔ字型取付金具を用いて、該プレート部がパネル取付用部材に溶接固定されているとともに、該棒状部がＡＬＣパネルの一小口面から開けられた縦孔に挿入され、さらに、その縦孔と交差して他小口面から開けられた横孔に挿通された鋼棒が前記棒状部の先端部分に設けられた透孔をパネル内部で貫通することにより係合されているＡＬＣパネルの取付構造とした。
また、鋼棒の長さを前記横孔方向のパネル長さに対して５０％以上であることをより好ましい条件とした。
【発明の効果】
【０００６】
本発明のパネル用の断面Ｔ字型取付金具およびそれを用いたパネルの取付構造によれば、パネル壁面外方向からの衝撃力に十分対抗できるパネル取付構造が得られる。
また、地震発生時にパネルをその壁面内方向に回動させることを可能として、パネル内部に欠けや割れ等の発生を防止する。
さらに、パネルの取付金具等を室内側壁面に露出させないため、内装仕上げが容易となるとともにその外観も平坦となり改善される。
【発明を実施するための最良の形態】
【０００７】
以下、図１〜図８に基づいて本発明の実施形態を説明する。
図１〜図３に示すように、本発明におけるパネル用の断面Ｔ字型取付金具１は、円形のプレート部１ａとその中心部に垂直に溶接固定された棒状部１ｂとから成り、その先端部分１ｂａには、図４に示すような、鋼棒２が貫通できる透孔１ｂｂが設けられている
【０００８】
なお、本発明のパネル用の断面Ｔ字型取付金具１のプレート部１ａは、円形に限定されず四角形や多角形でも良い。
棒状部１ｂは、中実な鋼棒（図１）であっても中空な管棒（図２）であっても良い。
また、棒状部１ｂを、パネル最端部に埋設された補強鉄筋の内側に到達するまでの長さにすると、パネルの取付強度をより向上させて望ましい。
具体的には１００〜２００ｍｍとすることが好ましい。
さらに、図３に示すように、先端部分１ｂａを別部材として棒状部１ｂと係合可能とすることにより、先端部分１ｂａのみの断面積を大きくして透孔１ｂｂを形成し易くしたり、また、従来のＴ字型固定具２０の棒状体２０ｂの先端部分に螺刻等（図３では雌ねじ）により係合可能にすることにより、それらを流用することができるようになる。
【０００９】
このパネル用の断面Ｔ字型取付金具１の具体的な使用用途としては、図５に示すように、基礎部４にパネル１０を固定したり、図７に示すように、外壁面に開口部７を形成する開口補強部材（パネル取付用部材３）にパネル１０を固定したりする取付構造が例示できる。
この場合、図４に示すような、パネル１０の一小口面１０ａから縦孔１０ａａと、その縦孔１０ａａと交差するように他小口面１０ｂから開けられた横孔１０ｂａとが穿設されたパネルを用いる。
そして、断面Ｔ字型取付金具１の棒状部１ｂが縦孔１０ａａに挿入され、さらに、その棒状部１ｂの先端部分に設けられた透孔１ｂｂに横孔１０ｂａから挿通された鋼棒２が貫通して係合される。
そして、このパネル内部に断面Ｔ字型取付金具１と鋼棒２とが係合された状態で、プレート部１ａがパネル取付用部材３に溶接して固設される。
【００１０】
このように、プレート部１ａがパネル取付用部材３に固設された断面Ｔ字型取付金具１が、パネル内部において鋼棒２と係合されているため、パネル壁面外方向からの衝撃力は長尺な鋼棒２で受け止められ、さらに、取付用部材３を介して建物駆体に伝達されるようになる。
その結果として、パネル面外方向からの大きな衝撃力にも十分に対抗できるパネル取付強度が得られるとともに、パネル内部において一部分に大きな荷重がかかることがなくなるため欠けや割れの発生が防止されるようになる。
この鋼棒２の長さは横孔１０ｂａ方向のパネル１０の長さに対して５０％以上であると、パネル壁面外方向からの衝撃力を受け止める十分な鋼棒２の長さとなり望ましい。また、鋼棒２の長さは、横孔１０ｂａ方向全長であると望ましいが、コスト面から見て前記長さの８５％以下としても、その機能が十分に発揮される。
また、パネル取付用部材３および鋼棒２は、従来と違ってパネル母材に食い込んでおらず、パネル内部の縦孔１０ａａおよび横孔１０ｂａの壁面との間に隙間が形成されているため、地震等によるパネルの壁面内方向の回動を許容することができるようになる。
さらに、このパネルの取付構造によれば、パネル室内側壁面に取付金具が露出しないため、内装仕上げにおいて施工が容易となるとともに、突出する取付金具が無いためその内壁の外観も平坦となり見栄えが良くなる
透孔１ｂｂと鋼棒２とは、１〜５ｍｍのクリアランスがあると鋼棒２が挿通し易くなり好ましい。また、そのクリアランス部にゴム部材等を介在して、透孔１ｂｂが鋼棒２を軽く拘束していると、鋼棒２が所定位置に留まることができてより好ましい。
【００１１】
建物の基礎部４にパネル１０を建て込む場合の具体的な実施形態を、以下に説明する。
図４および図５に示すように、パネル１０の一小口面１０ａから縦孔１０ａａと、その縦孔１０ａａと交差するように他小口面１０ｂから開けられた横孔１０ｂａとが穿設されたパネルが用いられ、断面Ｔ字型取付金具１の棒状部１ｂがその縦孔１０ａａに挿入され、さらに、その棒状部１ｂの先端部分に設けられた透孔１ｂｂに横孔１０ｂａから挿通された鋼棒２が貫通して係合される。
そして、このパネル内部に断面Ｔ字型取付金具１と鋼棒２とが係合された状態で、基礎部４の上面に固定されたパネル取付用部材３（フラット・プレート）に断面Ｔ字型取付金具１のプレート部１ａが溶接して固設されることにより、パネル１０の下部が基礎部４の上面に取付固定される。
この取付構造によれば、室内外壁面に取付金物５（図７）などの突起を全く無くすことができるとともに、壁面外方向からの衝撃力に対して十分な取付強度を確保することができる。
【００１２】
外壁面に開口部７を形成する際における、開口部７の上下パネル１０の建物駆体（取付用部材３）へのパネル取付構造の実施形態を、以下に説明する。
パネル１０の基礎部４への建て込みの際と同様に、図４および図７に示すように、縦孔１０ａａと横孔１０ｂａとが穿設されたパネルを用いて、このパネル内部で断面Ｔ字型取付金具１と鋼棒２とが係合される。
なお、図７または図８に示すように、上下パネル１０の開口部に接する側のパネルの取付部位において本発明の取付構造が採用されており、それぞれのパネル内部で断面Ｔ字型取付金具１と鋼棒２とが係合された状態で、開口部７の上側および下側をそれぞれ形成するパネル取付用部材３（Ｌ型アングル）に、上下パネル１０に埋設された断面Ｔ字型取付金具１のプレート部１ａが溶接して固設されている。
このようにして、開口部７の上側パネル１０の下部および下側パネル１０の上部が、それぞれの取付用部材３に取付固定されている。
図７に示すように、開口部７と接する側の上下パネルの取付構造に、開口部７と接していない側のパネル取付構造（すなわち、自重受け金具やイナズマプレート等の取付金物５を用いたパネル取付構造）は、その構造上適用することができない。
そこで、これらのパネル取付部位に、本発明のパネル取付構造を採用することにより、前述したような作用効果が一層発揮されるようになる。
【産業上の利用可能性】
【００１３】
本発明のパネル用の断面Ｔ字型取付金具およびパネルの取付構造は、従来例に示すようなＴ字型固定具２０を用いたパネル取付部位に適用することにより、壁面外方向からの衝撃力に対する取付強度を格段に向上させることができる。
【図面の簡単な説明】
【００１４】
【図１】断面Ｔ字型取付金具の一実施例を示す斜視図。
【図２】断面Ｔ字型取付金具の他の実施例を示す斜視図。
【図３】断面Ｔ字型取付金具の他の実施例を示す斜視図。
【図４】断面Ｔ字型取付金具がパネル内に埋設された状態を示す斜視図。
【図５】断面Ｔ字型金具を用いたパネル取付構造の一実施例を示す斜視図。
【図６】図５の断面Ｔ字型金具付近の断面を示す説明図。
【図７】断面Ｔ字型金具を用いた開口部のパネル取付構造の他の実施例を示            す斜視図。
【図８】図７の固定部の断面Ｔ字型金具付近の断面を示す説明図。
【図９】従来例における開口部のパネル取付構造を示す斜視図。
【図１０】従来例のＴ字型固定具を示す正面図。
【図１１】従来例のＴ字型固定具によるパネル取付部の断面を示す説明図。
【符号の説明】
【００１５】
１  断面Ｔ字型取付金具
１ａ  プレート部
１ｂ  棒状部
１ｂａ  先端部分
１ｂｂ  透孔
２  鋼棒
３  取付用部材
４  基礎部
５  取付金物
６  建物駆体（梁）
７  開口部
１０  ＡＬＣパネル
１０ａ  一小口面
１０ａａ  縦孔
１０ｂ  他小口面
１０ｂａ  横孔
２０  Ｔ字型固定具
２０ａ  プレート
２０ｂ  棒状体
２０ｃ  突起
【図１】
2008150914.tif 000003
【図２】
2008150914.tif 000004
【図３】
2008150914.tif 000005
【図４】
2008150914.tif 000006
【図５】
2008150914.tif 000007
【図６】
2008150914.tif 000008
【図７】
2008150914.tif 000009
【図８】
2008150914.tif 000010
【図９】
2008150914.tif 000011
【図１０】
2008150914.tif 000012
【図１１】
2008150914.tif 000013